(57)【要約】【課題】電解槽１１、電解槽１１の各電解室へ被電解水を供給する供給管路１２、各電解室で生成される各電解生成水をそれぞれ抽出する抽出管路１３ａ，１３ｂを備える電解水生成装置において、殺菌類の繁殖の防止手段を定期的に自動的に作動させて、電解運転の再開時における防止手段のあらたな作動を不要にする。【解決手段】電解生成アルカリ性水抽出管路１３ａの上流側先端部と下流側抽出口部にそれぞれ連通する洗浄管路１２ａ，１２ｂを有する洗浄手段を備え、同洗浄手段は、電解生成アルカリ性水抽出管路１３ａからの抽出が所定時間停止されている場合に洗浄水を各洗浄管路１２ａ，１２ｂに供給して、電解生成アルカリ性水抽出管路１３ａからの滞留水および洗浄水を抽出する機能を備えている。【選択図】　　図１
2004130225.tif 000002
【特許請求の範囲】
【請求項１】
有隔膜電解槽と、同電解槽の各電解室へ被電解水を供給する供給管路と、前記電解槽の各電解室で生成される各電解生成水をそれぞれ抽出する一対の抽出管路を備える電解水生成装置であり、当該電解水生成装置は、電解生成アルカリ性水抽出管路の上流側先端部に連通する洗浄管路と下流側抽出口部に連通する洗浄管路を有する洗浄手段を備え、同洗浄手段は、前記電解生成アルカリ性水抽出管路からの抽出が所定時間停止されている場合に、洗浄水を前記各洗浄管路に供給して、前記電解生成アルカリ性水抽出管路から同抽出管路の滞留水を抽出し次いで前記洗浄水を抽出する機能を備えていることを特徴とする電解水生成装置。
【請求項２】
有隔膜電解槽と、同電解槽の各電解室へ被電解水を供給する供給管路と、前記電解槽の各電解室で生成される各電解生成水をそれぞれ抽出する一対の抽出管路を備える電解水生成装置であり、当該電解水生成装置は、電解生成アルカリ性水抽出管路の上流側先端部に連通する洗浄管路と下流側抽出口部に連通する洗浄管路を有する洗浄手段を備え、同洗浄手段は、前記電解生成アルカリ性水抽出管路からの抽出が所定時間停止されている場合に、洗浄水を前記各洗浄管路に供給して、前記電解生成アルカリ性水抽出管路から同抽出管路の滞留水および前記洗浄水を同時にかつ同洗浄水をより長く抽出する機能を備えていることを特徴とする電解水生成装置。
【請求項３】
請求項１または２に記載の電解水生成装置であり、前記洗浄手段では、前記電解生成アルカリ性水抽出管路からの抽出が所定時間停止されている時間を待機時間として、同待機時間が当該電解水生成装置の昼間は短くかつ夜間は長く設定されていることを特徴とする電解水生成装置。
【請求項４】
請求項１〜３のいずれか一項に記載の電解水生成装置であり、前記洗浄手段は、前記各洗浄管路を流通する洗浄水の流量センサを備えていることを特徴とする電解水生成装置。
【請求項５】
請求項１〜４のいずれか一項に記載の電解水生成装置であり、当該電解水生成装置における被電解水は一般水を原水とするもので、前記洗浄手段は前記原水および前記被電解水の一方または両方を洗浄水としていることを特徴とする電解水生成装置。
【発明の詳細な説明】
【０００１】
【発明の属する技術分野】
本発明は、電解水生成装置に関する。
【０００２】
【従来の技術】
電解水生成装置の一形式として、有隔膜電解槽と、同電解槽の各電解室へ被電解水を供給する供給管路と、前記電解槽の各電解室で生成される各電解生成水をそれぞれ抽出する一対の抽出管路を備える形式の電解水生成装置がある。当該形式の電解水生成装置においては、電解槽の一方の電解室ではアリカリ性水が生成され（電解生成アリカリ性水）、電解槽の他方の電解室では酸性水が生成される（電解生成酸性水）。生成される電解生成アリカリ性水は一方の抽出管路（電解生成アリカリ性水抽出管路と称する）を経て抽出され、また、生成される電解生成酸性水は他方の抽出管路（電解生成酸性水抽出管路と称する）を経て抽出される。
【０００３】
しかして、当該形式の電解水生成装置においては、電解生成アルカリ性水抽出管路内に電解生成アルカリ性水が長時間停滞している場合には、同抽出管路の下流側抽出口部から細菌類が侵入して繁殖し易く、細菌類の繁殖は抽出口部から抽出管路内へ漸次で拡大するおそれがある。このため、細菌類が電解生成アルカリ性水抽出管路の下流側抽出口部から侵入して繁殖し始めることは衛生上好ましくなく、当該形式の電解水生成装置においては、電解生成アルカリ性水抽出管路内への細菌類の侵入、および、これに起因する同抽出管路内での細菌類の繁殖を防止する防止手段を施すことが要請されている。この要請に対処するため、当該防止手段を備えた電解水生成装置が提案されている（例えば、特許文献１参照）。
【０００４】
上記した特許文献１にて提案されている電解水生成装置は、被電解水である水道水を有隔膜電解槽へ供給するに先だって浄化処理するための浄水カートリッジを備えた電解水生成装置であって、殺菌類の繁殖を防止するための手段として、水道水を浄水カートリッジを迂回して有隔膜電解槽へ供給するバイパス通路と、水道水の通水路を浄水カートリッジ側とバイパス通路側に互いに切換える切替手段と、通水路のバイパス通路側への切替に応じて有隔膜電解槽の各電極への通電を停止する制御手段を備えている。当該電解水生成装置においては、切替手段を手動で操作することによって水道水の通水路を浄水カートリッジ側に切換えると、電解運転が停止されるとともに、有隔膜電解槽へは浄化処理されない残留塩素を含む水道水が供給されて、浄水カートリッジの下流側の通水路を、残留塩素を含む水道水によって殺菌するものである。
【０００５】
【特許文献１】
特開平７−１６５７０号公報（第１頁〜第２頁、図１）
【０００６】
【発明が解決しようとする課題】
ところで、上記した特許文献１にて提案されている電解水生成装置における殺菌類の繁殖防止手段は、電解運転中の手動による切替手段の切替操作によって作動するもので、当該切替手段はその手動操作を忘れた場合には作動せず、殺菌類の繁殖を防止する効果を奏し得ないものである。また、仮に、当該電解水生成装置の電解運転終了直前に切替手段による切替操作を的確に行ったとしても、電解運転を長時間停止している場合には、この間には繁殖防止手段が作動しないことから殺菌類が繁殖するおそれがある。このため、電解運転を再開するに当たっては、あらためて、切替手段を切替操作して殺菌類の繁殖防止手段を作動し、かつ、所定時間経過後に、切替手段を逆に切替操作して殺菌類の繁殖防止手段の作動を停止して電解運転を開始しなければならない。
【０００７】
従って、本発明の目的は、有隔膜電解槽と、同電解槽の各電解室へ被電解水を供給する供給管路と、前記電解槽の各電解室で生成される各電解生成水をそれぞれ抽出する一対の抽出管路を備える形式の電解水生成装置において、殺菌類の繁殖を防止する手段（洗浄手段）を定期的かつ自動的に作動させるとともに、電解運転の長時間の停止後の電解運転の再開に当たっての、殺菌類の繁殖防止手段（洗浄手段）のあらたな作動を不要にすることにある。
【０００８】
【課題を解決するための手段】
本発明は電解水生成装置に関するもので、有隔膜電解槽と、同電解槽の各電解室へ被電解水を供給する供給管路と、前記電解槽の各電解室で生成される各電解生成水をそれぞれ抽出する一対の抽出管路を備える形式の電解水生成装置を適用対象とするものである。
【０００９】
しかして、本発明に係る第１の電解水生成装置においては、電解生成アルカリ性水抽出管路の上流側先端部に連通する洗浄管路と下流側抽出口部に連通する洗浄管路を有する洗浄手段を備え、同洗浄手段は、前記電解生成アルカリ性水抽出管路からの抽出が所定時間停止されている場合に洗浄水を前記各洗浄管路に供給して、前記電解生成アルカリ性水抽出管路の滞留水を先ず抽出し次いで前記洗浄水を抽出する機能を備えていることを特徴とするものである。
【００１０】
また、本発明に係る第２の電解水生成装置においては、電解生成アルカリ性水抽出管路の上流側先端部に連通する洗浄管路と下流側抽出口部に連通する洗浄管路を有する洗浄手段を備え、同洗浄手段は、前記電解生成アルカリ性水抽出管路からの抽出が所定時間停止されている場合に洗浄水を前記各洗浄管路に供給して、前記電解生成アルカリ性水抽出管路の滞留水および前記洗浄水を同時にかつ同洗浄水をより長く抽出する機能を備えていることを特徴とするものである。
【００１１】
本発明に係る各電解水生成装置にあっては、前記電解生成アルカリ性水抽出管路からの抽出が所定時間停止されている時間を待機時間として、同待機時間を、昼間は短くかつ夜間は長く設定するようにすることができる。また、前記洗浄手段を、前記各洗浄管路を流通する洗浄水の流量センサを備える構成とすることができる。また、本発明に係る各電解水生成装置においては、被電解水の原水を一般水として、前記洗浄手段では前記一般水および前記被電解水の一方または両方を洗浄水とするようにすることができる。
【００１２】
【発明の作用・効果】
本発明に係る第１の電解水生成装置においては、洗浄手段が、電解生成アルカリ性水抽出管路からの抽出が所定時間停止されている場合に洗浄水を各洗浄管路に供給して、電解生成アルカリ性水抽出管路の滞留水を先ず抽出し次いで洗浄水を抽出する機能を備えている。
【００１３】
このため、当該洗浄手段により、電解運転の待機時間の終了までの間は、定期的に、電解生成アルカリ性水抽出管路内の滞留水の洗浄水への置換と、同抽出管路の抽出口部の洗浄水による洗浄を行って、電解生成アルカリ性水抽出管路内での細菌類の繁殖を防止し、かつ、電解運転の開始まで清浄化を保持した状態で待機させることができる。
【００１４】
また、本発明に係る第２の電解水生成装置においては、洗浄手段が、電解生成アルカリ性水抽出管路からの抽出が所定時間停止されている場合に洗浄水を各洗浄管路に供給して、電解生成アルカリ性水抽出管路の滞留水および洗浄水を同時に抽出し、かつ、同洗浄水をより長く抽出する機能を備えている。
【００１５】
このため、本発明に係る第２の電解水生成装置によれば、本発明に係る第１の電解水生成装置と同様、当該洗浄手段により、電解運転の待機時間の終了までの間は、定期的に、電解生成アルカリ性水抽出管路内の滞留水の洗浄水への置換と、同抽出管路の抽出口部の洗浄水による洗浄を行って、電解生成アルカリ性水抽出管路内での細菌類の繁殖を防止し、かつ、電解運転の開始まで清浄化を保持した状態で待機させることができる。
【００１６】
しかして、本発明に係る第２の電解水生成装置においては、特に、電解生成アルカリ性水抽出管路内の滞留水の洗浄水への置換と、同抽出管路の抽出口部の洗浄水による洗浄とを同期して行うことから、電解生成アルカリ性水抽出管路が長い場合には、電解生成アルカリ性水抽出管路内の滞留水の洗浄水への置換と同抽出管路の抽出口部の洗浄水による洗浄に要する時間を、第１の電解水生成装置で採用している洗浄手段に比較して、短い時間で済ませることができるという利点がある。
【００１７】
本発明に係る各電解水生成装置にあっては、電解生成アルカリ性水抽出管路からの抽出が所定時間停止されている時間を待機時間として、同待機時間を、昼間は短くかつ夜間は長く設定するようにすることができる。当該電解水生成装置では、昼間は利用頻度が多くて不衛生になり易く、また、夜間は利用頻度が少なくて昼間より衛生的であって、より衛生的である夜間の洗浄回数を減らしても何等支障はない。当該洗浄手段によれば、このような洗浄態様を採ることができるという利点がある。
【００１８】
また、本発明に係る各電解水生成装置にあっては、洗浄手段を、各洗浄管路を流通する洗浄水の流量を検出するための流量センサを備える構成とすることができる。当該洗浄手段によれば、電解生成アルカリ性水抽出管路内の滞留水の洗浄水への置換と、同抽出管路の抽出口部の洗浄水による洗浄に要する洗浄水量を的確に確認して、置換および洗浄に要する洗浄水量を無駄のないように管理することができる。本発明に係る各電解水生成装置においては、被電解水の原水を一般水とした場合には、この原水および／または被電解水を洗浄水に利用することができる。従って、本発明における洗浄手段は、一般水を原水とする被電解水を有隔膜電解する形式の電解水生成装置に対しては、より有利に適用することができる。
【００１９】
【発明の実施の形態】
本発明は、有隔膜電解槽と、同電解槽の各電解室へ被電解水を供給する供給管路と、同電解槽の各電解室で生成される各電解生成水をそれぞれ抽出する一対の抽出管路を備える形式の電解水生成装置であって、当該電解水生成装置は洗浄手段を備えている。図１〜図４には、本発明の各実施形態に係る電解水生成装置が示されている。各実施形態に係る電解水生成装置は、洗浄手段を異にするが、洗浄手段を除き基本的には同一構成のものである。
【００２０】
以下では、図１に示す第１の実施形態に係る電解水生成装置を第１電解水生成装置、図２に示す第２の実施形態に係る電解水生成装置を第２電解水生成装置、図３に示す第３の実施形態に係る電解水生成装置を第３電解水生成装置、図４に示す第４の実施形態に係る電解水生成装置を第４電解水生成装置と称する。
【００２１】
第１電解水生成装置は、水道水を被電解水の原水とするもので、図１に示すように、有隔膜電解槽１１、電解槽１１の各電解室Ｒ１，Ｒ２へ被電解水を供給する供給管路１２、電解槽１１の各電解室Ｒ１，Ｒ２で生成される各電解生成水をそれぞれ抽出する一対の抽出管路１３ａ，１３ｂ、浄水器１４を備えるとともに、当該電解水生成装置の運転を制御する制御装置２０を備えている。
【００２２】
供給管路１２は、メイン管路１２ａとバイパス管路１２ｂに分岐している。メイン管路１２ａには、電解槽１１およびその上流側に浄水器１４が配設されている。また、供給管路１２には、分岐部位の上流側に減圧バルブ１５ａが介装され、かつ、メイン管路１２ａには、減圧バルブ１５ｂが介装されている。水道水は、メイン管路１２ａを通して浄水器１４に供給されて、浄化されて被電解水となって、電解槽１１の各電解室Ｒ１，Ｒ２へ供給される。
【００２３】
バイパス管路１２ｂは、メイン管路１２ａにおける浄水器１４の上流側で分岐していて、浄水器１４および電解槽１１を迂回した状態で、第１抽出管路１３ａの下流側の端部である抽出口部に接続されている。バイパス管路１２ｂの中間部には、減圧バルブ１５ｃが介装されている。バイパス管路１２ｂに供給された水道水は、第１抽出管路１３ａの下流側の端部である抽出口部に供給される。
【００２４】
各抽出管路１３ａ，１３ｂのうち、第１抽出管路１３ａは電解槽１１の陰極側電解室Ｒ１に接続されていて、電解生成アルカリ性水を抽出するための専用の抽出管路に構成されており、また、第２抽出管路１３ｂは電解槽１１の陽極側電解室Ｒ２に接続されていて、電解生成酸性水を抽出するための専用の抽出管路に構成されている。第１抽出管路１３ａには、電磁開閉式の第１抽出バルブ１６ａが介装され、かつ、バイパス管路１２ｂには、電磁開閉式の第２抽出バルブ１６ｂが介装されている。
【００２５】
第１電解水生成装置においては、洗浄手段がメイン管路１２ａ、バイパス管路１２ｂ、第１抽出管路１３ａに介装されている抽出バルブ１６ａ、および、バイパス管路１２ｂに介装されている抽出バルブ１６ｂ等にて構成されている。当該洗浄手段では、洗浄水として、水道水を浄水器１４で浄化してなる被電解水と水道水とを採用している。
【００２６】
制御装置２０は、当該電解水生成装置の運転を制御するもので、ＭＰＵ（マイクロプロセッサ）、タイマおよび駆動回路を備えている。ＭＰＵは、ＣＰＵおよびメモリーを備え、メモリーは、当該電解水生成装置の運転を制御するための制御プログラムやデータを保持している。
【００２７】
制御装置２０には、当該電解水生成装置の制御盤２０ａに配設した電解生成水の自動抽出スイッチ２１ａおよび手動抽出スイッチ２１ｂ、洗浄水（水道水）の抽出スイッチ２２ａ、および、洗浄水による自動洗浄スイッチ２２ｂが接続されている。これらのスイッチ２１ａ，２１ｂ，２２ａ，２２ｂは、電源が投入されている当該電解水生成装置を目的に応じた運転状態に選択すべく、制御装置２０に各種運転の選択指令を出力するものである。
【００２８】
各スイッチのうち、自動抽出スイッチ２１ａは、電解運転状態を選択すべき信号を制御装置２０に出力するもので、制御装置２０では、この出力信号に基づいて電解運転を設定された条件で制御して、所定量の電解生成アルカリ性水を第１抽出管路１３ａを通してその抽出口から抽出させる。当該電解運転制御では、所定時間の間、第１抽出バルブ１６ａが開放制御される。これにより、消費者は、電解運転の制御プログラムで設定されている所定量の電解生成アルカリ性水を得ることができる。
【００２９】
手動抽出スイッチ２１ｂは、自動抽出スイッチ２１ａの投入による自動電解運転時に抽出される電解生成アルカリ性水の抽出量の不足分を補い、または追加するもので、手動抽出スイッチ２１ｂの投入操作時にのみ、当該電解水生成装置の電解運転が制御される。当該電解運転制御では、手動抽出スイッチ２１ｂが投入操作されている間、第１抽出バルブ１６ａが開放制御される。これにより、消費者は、自動電解運転時に得られた電解生成アルカリ性水の抽出量に所望量の電解生成アルカリ性水を追加して、所望量の電解生成アルカリ性水を得ることができる。
【００３０】
洗浄水抽出スイッチ２２ａは、洗浄水を抽出するための運転状態を選択すべき信号を制御装置２０に出力するもので、制御装置２０では、この出力信号に基づいて洗浄水抽出運転を設定された条件で制御して、洗浄水としての水道水をバイパス管路１２ｂを通して、第１抽出管路１３ａの抽出口から抽出させる。当該洗浄水抽出運転制御では、洗浄水抽出スイッチ２２ａが投入操作されている間、第２抽出バルブ１６ｂが開放制御される。これにより、消費者は、洗浄用の水道水を得ることができ、当該水道水によって、持参した容器を電解運転に先だって洗浄して清浄化することができる。
【００３１】
自動洗浄スイッチ２２ｂは、洗浄運転状態を選択すべき信号を制御装置２０に出力するもので、制御装置２０では、この出力信号に基づいて洗浄運転を設定された条件で制御して、水道水を浄化してなる被電解水を洗浄水として、メイン管路１２ａを通して電解槽１１の各電解室Ｒ１，Ｒ２へ供給する。供給された被電解水は、各電解槽１１の各電解室Ｒ１，Ｒ２から第１抽出管路１３ａ、第２抽出管路１３ｂを経て抽出される。また、これと同期的または選択的に、水道水を洗浄水としてバイパス管路１２ｂへ供給して、第１抽出管路１３ａの抽出口から抽出させる。当該洗浄運転では、第１抽出バルブ１６ａは設定された所定の時間の間開放制御され、また、第２抽出バルブ１６ｂも設定された第１抽出バルブ１６ａとは同一または異なる所定時間開放制御される。
【００３２】
当該制御装置２０においては、電解制御プログラム、洗浄水抽出制御プログラム、および洗浄運転制御プログラムを備えており、各制御プログラムにおける時間的条件は、制御盤２０ａに配設されたタイマーの操作によって、任意に設定されるように構成されている。
【００３３】
制御装置２０においては、各スイッチ２１ａ，２１ｂ，２２ａ，２２ｂの投入によって出力する運転選択指令信号を、インタフェースを介して取込み、ＭＰＵは、取込んだ各指令信号に基づいて当該電解水生成装置の作動すべき状態を判定し、作動すべき態様に応じた指令信号を、インタフェースを介して駆動回路に出力する。駆動回路は、ＭＰＵからの指令信号に基づいて、各抽出バルブ１６ａ，１６ｂを開閉制御するとともに、電解槽１１の各電解室Ｒ１，Ｒ２に配置されている各電極への電流の印加を制御して、電解運転、洗浄運転等の制御を行う。
【００３４】
本発明に係る電解水生成装置が有する洗浄手段では、制御装置２０が備える洗浄運転を制御する制御プログラムに特徴を有するものであり、制御装置２０を構成するマイクロコンピュータは、当該制御プログラムを、図５〜図７のいずれかに示すフローチャートに基づいて実行する。
【００３５】
第１電解水生成装置においては、洗浄手段がメイン管路１２ａ、バイパス管路１２ｂ、および、両抽出バルブ１６ａ，１６ｂ等にて構成されており、制御装置２０が有する制御プログラムの実行により、電解運転の待機時間の終了までの間は、定期的に、水道水をメイン管路１２ａを通して浄水器１４を経て電解槽１１に供給して、電解槽１１の陰極室Ｒ１を経て第１抽出管路１３ａへ供給し、かつ、水道水をバイパス管路１２ｂを通して第１抽出管路１３ａの抽出口部へ供給することができる。
【００３６】
これにより、当該洗浄手段によれば、第１抽出管路１３ａ内の滞留水の被電解水への置換と、第１抽出管路１３ａの抽出口の水道水による洗浄を行って、第１抽出管路１３ａ内での細菌類の繁殖を防止し、かつ、電解運転の開始まで清浄状態を保持して待機する。この間の制御プログラムの実行によっては、第２抽出管路１３ｂ内の滞留水の被電解水への置換も当然行われる。
【００３７】
本発明に係る第２電解水生成装置は、水道水を被電解水の原水とするもので、図２に示すように、有隔膜電解槽１１、電解槽１１の各電解室Ｒ１，Ｒ２へ被電解水を供給する供給管路１２、電解槽１１の各電解室Ｒ１，Ｒ２で生成される各電解生成水をそれぞれ抽出する一対の抽出管路１３ａ，１３ｂ、浄水器１４を備えるとともに、当該電解水生成装置の運転を制御する制御装置２０を備えており、かかる構成に関しては、図１に示す第１電解水生成装置と同一構成である。
【００３８】
しかして、第２電解水生成装置においては、第１電解水生成装置を構成するバイパス管路１２ｂおよび第２抽出バルブ１６ｂを備えておらず、これらに替えて、第２抽出管路１３ｂと第１抽出管路１３ａを連結する洗浄管路１２ｃ、および、第２抽出管路１３ｂと洗浄管路１２ｃが分岐する部位に介装した三方切替弁である電磁式の切替バルブ１６ｃを備えている。切替バルブ１６ｃは、制御装置２０によって切替動作するもので、電解槽１１の陽極室Ｒ２側からの流出水の流出方向を制御する。
【００３９】
従って、第２電解水生成装置においては、洗浄手段がメイン管路１２ａ、洗浄管路１２ｃ、抽出バルブ１６ａ、および、洗浄管路１２ｃの分岐部に介装されている切替バルブ１６ｃ等にて構成されており、制御装置２０が有する制御プログラムの実行により、電解運転の待機時間の終了までの間は、定期的に、水道水をメイン管路１２ａを通して浄水器１４を経て電解槽１１に供給して、電解槽１１の陰極室Ｒ１を経て第１抽出管路１３ａへ供給し、かつ、電解槽１１の陽極室Ｒ２を経て第２抽出管路１３ｂ、洗浄管路１２ｃおよび第１抽出管路１３ａの抽出口部へ供給することができる。
【００４０】
これにより、当該洗浄手段によれば、第１抽出管路１３ａ内の滞留水の被電解水への置換と、第１抽出管路１３ａの抽出口の被電解水による洗浄を行って、第１抽出管路１３ａ内での細菌類の繁殖を防止し、かつ、電解運転の開始まで清浄状態を保持して待機する。この間の制御プログラムの実行によっては、第２抽出管路１３ｂ内の滞留水の被電解水への置換も当然行われる。
【００４１】
本発明に係る第３電解水生成装置は、水道水を被電解水の原水とするもので、図３に示すように、有隔膜電解槽１１、電解槽１１の各電解室Ｒ１，Ｒ２へ被電解水を供給する供給管路１２、電解槽１１の各電解室Ｒ１，Ｒ２で生成される各電解生成水をそれぞれ抽出する一対の抽出管路１３ａ，１３ｂ、浄水器１４を備えるとともに、当該電解水生成装置の運転を制御する制御装置２０を備えており、かかる構成に関しては、図１に示す第１電解水生成装置と同一構成である。
【００４２】
しかして、第３電解水生成装置においては、供給管路１２における分岐部位の上流側で減圧バルブ１５ａの下流側に流量センサ１７が介装されている。従って、第３電解水生成装置においては、洗浄手段がメイン管路１２ａ、バイパス管路１２ｂ、流量センサ１７、および、両抽出バルブ１６ａ，１６ｂ等にて構成されており、制御装置２０が有する制御プログラムの実行により、電解運転の待機時間の終了までの間は、定期的に、水道水をメイン管路１２ａを通して浄水器１４を経て電解槽１１に供給して、電解槽１１の陰極室Ｒ１を経て第１抽出管路１３ａへ供給し、かつ、水道水をバイパス管路１２ｂを通して第１抽出管路１３ａの抽出口部へ供給することができる。
【００４３】
これにより、当該洗浄手段によれば、第１抽出管路１３ａ内の滞留水の被電解水への置換と、第１抽出管路１３ａの抽出口の水道水による洗浄を行って、第１抽出管路１３ａ内での細菌類の繁殖を防止し、かつ、電解運転の開始まで間清浄状態を保持して待機する。
【００４４】
また、当該洗浄手段においては、特に流量センサ１７を備えていることから、メイン管路１２ａを通して第１抽出管路１３ａへ供給する被電解水（洗浄水）、および、バイパス管路を通して第２抽出管路１３ｂへ供給する水道水（洗浄水）の供給流量を一体として的確に確認することができて、洗浄に要する洗浄水量を無駄なく管理することができる。なお、当該洗浄手段においては、この間の制御プログラムの実行によって、第２抽出管路１３ｂ内の滞留水の被電解水への置換も当然行われる。
【００４５】
本発明に係る第４電解水生成装置は、水道水を被電解水の原水とするもので、図４に示すように、有隔膜電解槽１１、電解槽１１の各電解室Ｒ１，Ｒ２へ被電解水を供給する供給管路１２、電解槽１１の各電解室Ｒ１，Ｒ２で生成される各電解生成水をそれぞれ抽出する一対の抽出管路１３ａ，１３ｂ、浄水器１４を備えるとともに、当該電解水生成装置の運転を制御する制御装置２０を備えている。かかる構成に関しては、図１に示す第１の電解水生成装置と同一構成である。
【００４６】
しかして、第４電解水生成装置においては、第３電解水生成装置と同様に流量センサを備えているが、第３電解水生成装置とは異なり、流量センサを一対（流量センサ１７ａ，１７ｂ）備えている。一方の流量センサ１７ａは、供給管路１２を構成するメイン管路１２ａに、また、他方の流量センサ１７ｂは、供給管路１２を構成するバイパス管路１２ｂに介装されている。
【００４７】
従って、第４電解水生成装置においては、洗浄手段がメイン管路１２ａ、バイパス管路１２ｂ、両抽出バルブ１６ａ，１６ｂ、および、流量センサ１７ａ，１７ｂ等にて構成されており、制御装置２０が有する制御プログラムの実行により、電解運転の待機時間の終了までの間は、定期的に、水道水をメイン管路１２ａを通して浄水器１４を経て電解槽１１に供給して、電解槽１１の陰極室Ｒ１を経て第１抽出管路１３ａへ供給し、かつ、水道水をバイパス管路１２ｂを通して第１抽出管路１３ａの抽出口部へ供給することができる。
【００４８】
これにより、当該洗浄手段によれば、第１抽出管路１３ａ内の滞留水の被電解水への置換と、第１抽出管路１３ａの抽出口の水道水による洗浄を行って、第１抽出管路１３ａ内での細菌類の繁殖を防止し、かつ、電解運転の開始まで清浄状態を保持して待機する。
【００４９】
また、当該洗浄手段においては、特に、メイン管路１２ａおよびバイパス管路１２ｂの両方に流量センサ１７ａ，１７ｂをそれぞれ備えていることから、メイン管路１２ａを通して第１抽出管路１３ａへ供給する被電解水（洗浄水）、および、バイパス管路１２ｂを通して第２抽出管路１３ｂへ供給する水道水（洗浄水）の供給流量を互いに独立して的確に確認することができて、洗浄に要する洗浄水量を一層無駄なく管理することができる。なお、当該洗浄手段においては、この間の制御プログラムの実行によって、第２抽出管路１３ｂ内の滞留水の被電解水への置換も当然行われる。
【００５０】
以上の各電解水生成装置は、消費者に電解生成アルカリ性水を供給することを意図しているものである。各電解水生成装置における制御盤２０ａは、電解運転を制御する制御プログラムおよび洗浄運転を制御する制御プログラムを備えていて、制御盤２０ａに配置した各スイッチが投入された場合に、選択されたスイッチの目的に応じて電解水生成装置の運転を制御する。
【００５１】
すなわち、制御盤２０ａには、自動抽出スイッチ２１ａ、手動抽出スイッチ２１ｂ、洗浄水抽出スイッチ２２ａ、自動洗浄スイッチ２２ｂが配設されていて、制御装置２０は、自動抽出スイッチ２１ａが投入された場合には、設定されている所定時間の間通常の電解運転の制御を行い、手動抽出スイッチ２１ｂが投入された場合には、手動抽出スイッチ２１ｂの投入が解除されるまでの間通常の電解運転の制御を行い、洗浄水抽出スイッチ２２ａが投入された場合には、洗浄水抽出スイッチ２２ａが投入されている間洗浄運転の制御を行い、自動洗浄スイッチ２２ｂが投入された場合には、設定されている所定の洗浄運転の制御を行う。
【００５２】
本発明においては、自動洗浄スイッチ２２ｂが投入された場合に実行される洗浄制御プログラムに特徴を有するものであり、制御装置２０は、図５〜図７に示すフローチャートに基づいて実行される３種類の洗浄制御プログラムを備えている。第１の洗浄制御プラグラムは、図５に示すフローチャートに基づいて実行され、第２の洗浄制御プラグラムは、図６に示すフローチャートに基づいて実行され、かつ、第３の洗浄制御プラグラムは、図７に示すフローチャートに基づいて実行される。
【００５３】
制御装置２０を構成するマイクロコンピュータは、自動洗浄スイッチ２２ｂの投入によって作動して、第１の洗浄制御プログラムの実行を開始する。第１の洗浄制御プログラムにおいては、例えば、洗浄開始までの待機時間Ｔを２時間に設定し、第１抽出管路１３ａからの滞留水（電解生成アルカリ水および被電解水を含む）の抽出時間を１０秒に設定し、第２抽出管路１３ｂからの水道水（洗浄水）の抽出時間を１０秒に設定されている。マイクロコンピュータは、ステップ１０１にて、タイマをセットして待機時間の計測を開始し、ステップ１０２にて、第１抽出管路１３ａの抽出口からの抽出水の有無を判定し、第１抽出管路１３ａの抽出口からの抽出水の抽出があるものと判定した場合にはプログラムをステップ１０６に進めて、ステップ１０６にて、待機時間の計測を停止してタイマをリセットする。
【００５４】
マイクロコンピュータは、ステップ１０２にて、第１抽出管路１３ａの抽出口からの抽出水の抽出が無いものと判定した場合にはプログラムをステップ１０３に進めて、ステップ１０３にて、待機時間が所定時間Ｔ（２時間）に達しているか否かを判定する。マイクロコンピュータは、ステップ１０３にて、待機時間が所定時間Ｔに達していないと判定した場合には、プログラムをステップ１０２の戻してプログラムを実行し、待機時間が所定時間Ｔに達しているものと判定した場合には、プログラムをステップ１０４に進める。
【００５５】
マイクロコンピュータは、ステップ１０４では、第１抽出バルブ１６ａを所定時間（１０秒）開放して、水道水をメイン管路１２ａを通して浄水器１４を経て供給し、第１抽出管路１３ａの滞留水を所定時間（１０秒）抽出する。マイクロコンピュータは、次いで、ステップ１０５にて、第２抽出バルブ１６ｂを所定時間（１０秒）開放して、水道水をバイパス管路１２ｃを通して供給し、第１抽出管路１３ａの抽出口から水道水を所定時間（１０秒）抽出する。その後、マイクロコンピュータは、ステップ１０６にて、待機時間の計測を停止するとともにタイマをリセットして、待機時間が所定時間Ｔ経過した際の洗浄を終了する。マイクロコンピュータは、この洗浄制御プログラムを循環して実行する。
【００５６】
図６は、第２の洗浄制御プログラムを実行するためのフローチャートである。第２の洗浄制御プログラムは、供給管路１２から第１抽出管路１３ａの抽出口までの流水経路が長大である場合に適するもので、長大な流水経路の電解水生成装置に第１の洗浄制御プログラムを採用した場合に比較して、洗浄時間の短縮を図ることができるものである。
【００５７】
第２の洗浄制御プログラムの特徴は、第１抽出管路１３ａ内の滞留水の被電解水（洗浄水）への置換と、同抽出管路１３ａの抽出口の水道水（洗浄水）による洗浄とを同期して行うことにあり、水道水の供給を、メイン管路１２ａおよびバイパス管路１２ｂとも同時に行うとともに、メイン管路１２ａへの供給を若干早く、かつ、バイパス管路１２ｂへの供給を若干遅く停止させるものである。
【００５８】
これにより、供給管路１２から第１抽出管路１３ａの抽出口までの流水経路が長大である電解水生成装置においては、洗浄時間の大幅な短縮を図ることができる。当該洗浄制御プログラムでは、例えば、第１抽出バルブ１６ａの開放時間ｔ１を１分に設定され、第２抽出バルブ１６ｂの開放時間ｔ２を１分３秒に設定されている。また、洗浄開始までの待機時間Ｔを２時間に設定されている。
【００５９】
当該洗浄制御プログラムの実行では、マイクロコンピュータは、ステップ１１１にて、タイマをセットして待機時間の計測を開始し、ステップ１１２にて、第１抽出管路１３ａの抽出口からの抽出水の有無を判定し、第１抽出管路１３ａの抽出口からの抽出水の抽出があるものと判定した場合にはプログラムをステップ１１９に進めて、ステップ１１９にて、待機時間の計測を停止してタイマをリセットする。
【００６０】
マイクロコンピュータは、ステップ１１２にて、第１抽出管路１３ａの抽出口からの抽出水の抽出が無いものと判定した場合にはプログラムをステップ１１３に進めて、ステップ１１３にて、待機時間が所定時間Ｔ（２時間）に達しているか否かを判定する。マイクロコンピュータは、ステップ１１３にて、待機時間が所定時間Ｔに達していないと判定した場合には、プログラムをステップ１１２に戻してプログラムを実行し、待機時間が所定時間Ｔに達しているものと判定した場合には、プログラムをステップ１１４に進める。
【００６１】
マイクロコンピュータは、ステップ１１４では、第１，第２抽出バルブ１６ａ，１６ｂを開放して、水道水をメイン管路１２ａおよびバイパス管路１２ｂを通して供給し、ステップ１１５，１１６にて、第１抽出管路１３ａの滞留水を所定時間ｔ１（１分）抽出するとともに、ステップ１１７，１１８にて、バイパス管路１２ｃを通して水道水を所定時間ｔ２（１分３秒）抽出する。その後、マイクロコンピュータは、ステップ１１９にて、待機時間の計測を停止するとともにタイマをリセットして、待機時間が所定時間Ｔ経過した際の洗浄を終了する。マイクロコンピュータは、この洗浄制御プログラムを循環して実行する。
【００６２】
第３の洗浄制御プログラムは昼間の洗浄用のもので、第１抽出管路１３ａの抽出口の汚れ具合が夜間に比べて昼間の方が酷いであろうことを想定して、昼間における洗浄の頻度を夜間に比べて多くした点に特徴がある。第３の洗浄制御プログラムでは、設定された待機時間Ｔ（例えば２時間）の間に、第１抽出管路１３ａの抽出口の洗浄を付加したもので、例えば待機時間が設定された時間の半分Ｔ１経過した時点（１時間）で、水道水（洗浄水）をバイパス管路１２ｂを通して第１抽出管路１３ａに供給して、第１抽出管路１３ａの抽出口から抽出することにより、抽出口の清浄化を行うものである。
【００６３】
当該洗浄制御プログラムの実行では、マイクロコンピュータは、ステップ１２１にて、タイマをセットして待機時間の計測を開始し、ステップ１２２にて、第１抽出管路１３ａの抽出口からの抽出水の有無を判定し、第１抽出管路１３ａの抽出口からの抽出水の抽出があるものと判定した場合にはプログラムをステップ１３１に進めて、ステップ１３１にて、待機時間の計測を停止してタイマをリセットする。
【００６４】
マイクロコンピュータは、ステップ１２２にて、第１抽出管路１３ａの抽出口からの抽出水の抽出が無いものと判定した場合にはプログラムをステップ１２３に進めて、ステップ１２３にて、待機時間が所定時間Ｔ１（１時間）に達しているか否かを判定する。マイクロコンピュータは、ステップ１２３にて、待機時間が所定時間Ｔ１に達していないと判定した場合には、プログラムをステップ１２２に戻してプログラムを実行し、待機時間が所定時間Ｔ１に達しているものと判定した場合には、プログラムをステップ１２４に進める。マイクロコンピュータは、ステップ１２４では、第２抽出バルブ１６ｂを開放して、水道水をバイパス管路１２ｂを通して供給し、ステップ１２５，１２６にて、バイパス管路１２ｂを通して水道水を所定時間ｔ１（１０秒）抽出する。
【００６５】
次いで、マイクロコンピュータは、ステップ１２７にて、第１抽出管路１３ａの抽出口からの抽出水の抽出の有無を判定し、抽出があるものと判定した場合には、プログラムをステップ１３１に進めて、ステップ１３１にて、待機時間の計測を停止してタイマをリセットする。また、マイクロコンピュータは、ステップ１２７にて、第１抽出管路１３ａの抽出口からの抽出水の抽出がないものと判定した場合には、プログラムをステップ１２８に進めて、ステップ１２８にて、待機時間が所定時間Ｔ（２時間）に達しているか否かを判定する。マイクロコンピュータは、ステップ１２８にて、待機時間が所定時間Ｔに達していないと判定した場合には、プログラムをステップ１２７に戻してプログラムを実行し、待機時間が所定時間Ｔに達しているものと判定した場合には、プログラムをステップ１２９に進める。
【００６６】
マイクロコンピュータは、ステップ１２９では、第１抽出バルブ１６ａを所定時間（１０秒）開放して、水道水をメイン管路１２ａを通して浄水器１４を経て供給し、第１抽出管路１３ａの滞留水を所定時間（１０秒）抽出する。マイクロコンピュータは、次いで、ステップ１３０にて、第２抽出バルブ１６ｂを所定時間（１０秒）開放して、水道水をバイパス管路１２ｃを通して供給し、第１抽出管路１３ａの抽出口から水道水を所定時間（１０秒）抽出する。その後、マイクロコンピュータは、ステップ１３１にて、待機時間の計測を停止するとともにタイマをリセットして、待機時間が所定時間Ｔ経過した際の洗浄を終了する。マイクロコンピュータは、この洗浄制御プログラムを循環して実行する。
【図面の簡単な説明】
【図１】本発明に係る第１電解水生成装置の全体を模式的に示す概略構成図である。
【図２】本発明に係る第２電解水生成装置の全体を模式的に示す概略構成図である。
【図３】本発明に係る第３電解水生成装置の全体を模式的に示す概略構成図である。
【図４】本発明に係る第３電解水生成装置の全体を模式的に示す概略構成図である。
【図５】本発明に係る電解水生成装置が有する第１の洗浄制御プログラムを実行するためのフローチャートである。
【図６】本発明に係る電解水生成装置が有する第２の洗浄制御プログラムを実行するためのフローチャートである。
【図７】本発明に係る電解水生成装置が有する第３の洗浄制御プログラムを実行するためのフローチャートである。
【符号の説明】
１１…電解槽、１２…供給管路、１２ａ…メイン管路、１２ｂ…バイパス管路、１２ｃ…洗浄管路、１３ａ…第１抽出管路（電解生成アルカリ水抽出管路）、１３ｂ…第２抽出管路（電解生成酸性水抽出管路）、１４…浄水器、１５ａ，１５ｂ，１５ｃ…減圧バルブ、１６ａ…第１抽出バルブ、１６ｂ…第２抽出バルブ、１６ｃ…切替バルブ、１７，１７ａ，１７ｂ…流量センサ、２０…制御装置、２０ａ…制御盤、２１ａ…自動抽出スイッチ、２１ｂ…手動抽出スイッチ、２２ａ…洗浄水抽出スイッチ、２２ｂ…自動洗浄スイッチ。
【図１】
2004130225.tif 000003
【図２】
2004130225.tif 000004
【図３】
2004130225.tif 000005
【図４】
2004130225.tif 000006
【図５】
2004130225.tif 000007
【図６】
2004130225.tif 000008
【図７】
2004130225.tif 000009